(57)【要約】  毎葉型の譜面を１枚づつ確実に交換することができ、譜面の差し替えが迅速にでき、少ない部品でコンパクトにできる譜面の譜面交換装置を提供する。  毎葉シート型の複数枚の譜面Ｂと、複数枚の譜面Ｂを積層状態にしておいて１枚づつ取り除いていく譜面台Ａとからなり、譜面Ｂは、シート状であって、その一部に磁着性材料からなりピン孔３が形成された支持部２を備えており、譜面台Ａは、積層された複数の譜面Ｂの各支持部２のピン孔３に通した状態で、複数の譜面Ｂを支持する支持ピン１２と、積層された譜面Ｂの最上層の譜面における支持部２を磁着する位置に配置された磁石２０と、最上層の譜面Ｂの支持部２を磁石２０の磁着力に抗して押し外す押し出し機構とからなり、支持ピン１２の頂面と磁石２０の磁着面との間の間隔は、１枚の支持部の厚さより大きく２枚の支持部の厚さより小さいことを特徴とする。
2009008059.tif 000002
【特許請求の範囲】
【請求項１】
毎葉シート型の複数枚の譜面と、該複数枚の譜面を積層状態にしておいて１枚づつ取り除いていく譜面台とからなり、
前記譜面は、シート状であって、その一部に磁着性材料からなりピン孔が形成された支持部を備えており、
前記譜面台は、
積層された複数の譜面の各支持部のピン孔に通した状態で、前記複数の譜面を支持する支持ピンと、
積層された譜面の最上層の譜面における支持部を磁着する位置に配置された磁石と、
前記最上層の譜面の支持部を前記磁石の磁着力に抗して押し外す押し出し機構とからなり、
前記支持ピンの頂面と前記磁石の磁着面との間の間隔は、１枚の支持部の厚さより大きく２枚の支持部の厚さより小さい
ことを特徴とする譜面交換装置。
【請求項２】
前記譜面台は、
積層された複数の譜面を常時、前記支持ピンの先端方向に押し付ける付勢手段を備えている
ことを特徴とする請求項１記載の譜面交換装置。
【請求項３】
前記押し出し機構は、
前記最上層の譜面の支持部を押す押し具と、該押し具を前記支持具の押し外し方向に駆動する駆動手段と、
常時は前記押し具を駆動前の位置に保持する保持手段とからなり、
前記駆動手段は、フットペダルで駆動操作するものである
ことを特徴とする請求項１記載の譜面交換装置。
【発明の詳細な説明】
【技術分野】
【０００１】
本発明は、譜面交換装置に関する。さらに詳しくは、ヴァイオリン、チェロ、打楽器など、両手を使う楽器を演奏する場合に、譜面を手でめくろうとすると演奏を中断することになるので、自動で譜面をめくることが要望されている。本発明は、このような譜面を自動的に交換する譜面交換装置に関する。
【背景技術】
【０００２】
譜面を自動めくりする従来技術としては、つぎがある。
特許文献１の技術は、支柱に取り付けられ、水平面内で回動自在な回動軸に複数枚の譜面を収納した譜面箱と、前記譜面の回動を停止する係止部と、伝達機構を介して前記係止部を任意に作動させるペダルとからなる。【０００３】
この従来技術では、譜面を水平軸まわりに回転させると譜面が垂直面内で演奏者の顔の直前を舞い降りるように降下していくので演奏の邪魔になったり注意力を乱すという欠点がある。また、係止部の働くタイミングがうまく合わないと２枚の譜面がめくられてしまう等の問題がある。【０００４】
特許文献２の技術は、冊子である譜面をセットする譜面台の上部にモータと、このモータによって回動させられるアームとが設けられ、また、アームは上下方向（鉛直方向）にも移動自在に取り付けられている。そして、アームの先端には、薄い平板からなるめくり板が設けられ、さらに、譜面の右ページの上端部に当接するローラが設けられている。このローラもモータによって回転させられる。
この従来技術によると、ローラを回転させて譜面を撓ませ、そこにめくり板を挿し込んでアームを旋回させると、譜面を水平面内で左右に動かせてめくることができる。【０００５】
しかし、この従来技術では、つぎのような欠点がある。
ａ）譜面は多数枚の側端縁が閉じられた冊子タイプにしか使えない。
ｂ）譜面を旋回させるのに時間がかかり、曲が連続しているにも拘らず、演奏が中断することがある。
ｃ）ローラやめくり板を動作させるモータが必要であり、装置が複雑で大型化する。
ｄ）譜面が演奏者の顔の前面を、うちわで扇ぐように通過していくので、演奏者の注意力を乱すという問題がある。【０００６】
特許文献３の技術は、冊子載置用の載置台に取り付けられた旋回アームと、この旋回アームを１８０°超の旋回角で正逆回転させる駆動機構を有し、旋回アームは、載置台上下方向に沿って回転自在に保持され、且つ駆動機構により回転駆動するシャフト部と、このシャフト部の上端に連成されたアーム部と、このアーム部の先端に取り付けられた磁石保持体と、この磁石保持体に固定された永久磁石とからなり、永久磁石を冊子の各シート上端の鉄片に吸着させた状態で旋回アームを旋回させることで各シートのめくり動作が行われる。【０００７】
しかし、この従来技術では、つぎのような欠点がある。
ａ）譜面は多数枚の側端縁が閉じられた冊子タイプにしか使えない。
ｂ）譜面を旋回させるのに時間がかかり、曲が連続しているにも拘らず、演奏が中断することがある。
ｃ）旋回アームやシャフト部を動かすモータが必要であり、装置が複雑で大型化する。
ｄ）譜面が演奏者の顔の前面を、うちわで扇ぐように通過していくので、演奏者の注意力を乱すという問題がある。【０００８】
【特許文献１】実開昭４９−４４３４９
【特許文献２】特開平９−２２６２７１
【特許文献３】特開平１０−１３７０４５
【発明の開示】
【発明が解決しようとする課題】
【０００９】
本発明はかかる事情に鑑み、毎葉型の譜面を１枚づつ確実に交換することができ、譜面の差し替えが迅速にでき、少ない部品でコンパクトにできる譜面の譜面交換装置を提供することを目的とする。
【課題を解決するための手段】
【００１０】
第１発明の譜面交換装置は、毎葉シート型の複数枚の譜面と、該複数枚の譜面を積層状態にしておいて１枚づつ取り除いていく譜面台とからなり、前記譜面は、シート状であって、その一部に磁着性材料からなりピン孔が形成された支持部を備えており、前記譜面台は、積層された複数の譜面の各支持部のピン孔に通した状態で、前記複数の譜面を支持する支持ピンと、積層された譜面の最上層の譜面における支持部を磁着する位置に配置された磁石と、前記最上層の譜面の支持部を前記磁石の磁着力に抗して押し外す押し出し機構とからなり、前記支持ピンの頂面と前記磁石の磁着面との間の間隔は、１枚の支持部の厚さより大きく２枚の支持部の厚さより小さいことを特徴とする。
第２発明の譜面交換装置は、第１発明において、前記譜面台は、積層された複数の譜面を常時、前記支持ピンの先端方向に押し付ける付勢手段を備えていることを特徴とする。
第３発明の譜面交換装置は、第１発明において、前記押し出し機構は、前記最上層の譜面の支持部を押す押し具と、該押し具を前記支持具の押し外し方向に駆動する駆動手段と、常時は前記押し具を駆動前の位置に保持する保持手段とからなり、前記駆動手段は、フットペダルで駆動操作するものであることを特徴とする。
【発明の効果】
【００１１】
第１発明によれば、積層された複数の譜面のうち最上層の１枚は磁石で磁着保持され、その他の譜面は全て支持ピンで物理的に保持されている。そして、押し出し機構により最上層の譜面の支持部を押すと、最上層の譜面のみが磁石の磁力から外れて落下する。このとき、最上層以外の譜面は支持ピンで物理的に支持されているので、落下することはない。よって、譜面が１枚づつ確実に落下させることができる。さらに、本発明の譜面台は、支持ピン、磁石、押し出し機構から構成され、モータ等を用いていないので、コンパクトに構成できる。
第２発明によれば、支持ピンで積層状態に保持された複数枚の譜面は、最上層から１枚づつ取り外されても付勢手段で支持ピン先端方向に押されるので、何度でも譜面を１枚づつ取り出すことができる。
第３発明によれば、押し出し機構の押し具はフットペダルで駆動できるので、演奏者が手を使う必要は全くなく譜面の更新を行える。
【発明を実施するための最良の形態】
【００１２】
つぎに、本発明の実施形態を図面に基づき説明する。
図１は本発明の譜面交換装置を構成する譜面台と譜面を示す概念図である。
同図において、Ａは譜面台、Ｂは譜面である。
まず、譜面Ｂを説明する。１は１枚１枚が別葉になった譜面シートである。この譜面シートはそのまま使用してもよく、透明フィルム製のシート状ケースに入れてもよい。本明細書では、特に区別することなく、両者を譜面Ｂという。
前記譜面Ｂの上端縁であって略中央には支持部２が取付けられている。この支持部２は、磁石での吸着が可能な材料、例えば、鉄などの磁着性材料からなり、その中央はピン孔３が形成されている。【００１３】
譜面台Ａは、架台８を備え、その上部に基台１１が設けられ、その中間部には譜面受け９が設けられている。譜面受け９は基台１１から落下してきた譜面Ｂを１枚づつ受け取って溜めておく部材であり、そのような機能を果せるなら、どのような形態のものでもよい。本実施形態では、金網製のものが用いられている。【００１４】
図２は本発明の一実施形態に係る譜面台Ａの機構図である。
同図において、１１は基台であり、以下に示す各種部材は、この基台１１を介して組み付けられている。
１２は支持ピンであり、基台１１から正面に向って出没するように設けられている。そして、この支持ピン１２には、支持部２のピン孔３が通されて、多数枚の譜面Ｂが支持されるようになっている。
１３は押上げ筒であり、支持ピン１２のまわりに外挿されている。そして、支持ピン１２のまわりに挿入した圧縮バネ１４で、押上げ筒１３が常時譜面Ｂを支持ピン１２の先端方向に押し出すように付勢している。
１５はロック金具であり、支点15aを中心に揺動し、常時は引張りバネ１６で引掛け方向に付勢しており、付勢位置はストッパー１８で規制されている。そして、解除レバー１７を押すと引掛けが解除できるようになっている。したがって、図３に示すように、押上げ筒１３が引込み状態にあるとき、その突起13aに引っ掛って引込み状態に固定することができる。ロックを解除しておくと、図２に示すように、押上げ筒１３は圧縮バネ１４で押され、譜面Ｂの束を支持ピン１２の先端方向に押し付けておくことができる。【００１５】
前記支持ピン１２の先端に対向する位置には磁石２０が配置されている。この磁石２０は略Ｌ字形に形成されたレバー２１に取付けられている。そして、レバー２１の基部はピン２２で基台１１の上端部に軸着されている。
このレバー２１は揺動可能であって、図２に示す使用位置と、図３に示す退避位置との間で姿勢変更が可能である。また、このレバー２１の基端部と基台１１の適所との間には引張りバネ２２が取付けられており、この引張りバネ２２によってレバー２１は使用位置に倒したときも退避位置に倒したときも、それぞれの位置で保持されるようになっている。【００１６】
そして、図３に示すように、磁石２０の磁着面20aと支持ピン１２の先端面との間の隙間ｇは、譜面Ｂの支持部２における１枚分の厚さより大きく、２枚分の厚さよりは小さい間隔に設定されている。このため、図２に示すように、積み重ねられた多数枚の譜面Ｂのうち、最上層の１枚の譜面Ｂのみは、磁石２０で磁着して保持された状態であり、他の譜面Ｂは支持ピン１２で物理的に支持され、決して落下しない状態に保持されている。
なお、最上層の譜面Ｂは磁力以上の強い力で磁力が切断される方向に押されると、その１枚の譜面Ｂのみが落下することになる。【００１７】
つぎに押し出し機構を、図２に基づき説明する。
前記磁石２０で磁着されている最上層の譜面Ｂにおける支持部２のちょうど上方に当る位置に、押し具３１が配置されている。この押し具３１はレバー３２で支持されており、レバー３２は、基台１１に設けられたガイド（図示省略）で、上下（矢印Ｕ，Ｄ方向）に動くようになっている。なお、押し具３１とレバー３２は同一の部材で作製したものであってもよく、別の部材で作製したものであってもよい。
前記レバー３２の基部には圧縮バネ３３が外挿され、この圧縮バネ３３はレバー３２に固定されたバネ座３４と基部１１に固定された台座３５との間に嵌められている。したがって、この圧縮バネ３３によりレバー３２は上方に押し上げられている。このため、押し具３１は譜面Ｂの支持部２から常時は離れている。一方、レバー３２の下端にはコントロールケーブル３６が連結されており、このコントロールケーブル３６の他端は、フットペダル３７に連結されている。このフットペダル３７を演奏者が足で踏むと、コントロールケーブル３６が引かれ、レバー３２を引き下げることができる。【００１８】
図４に示すように、レバー３２を矢印Ｄ方向に引き下げると、押し具３１は、最上層の譜面Ｂの支持部２を押し下げる。磁石２０の磁着力はこの押し下げ力より小さいので、譜面Ｂは下方に押し下げられ、押し具３１が下まで下がり切ると、磁石２０の磁界から離れるので、譜面Ｂはそのまま落下していく。
なお、最上層の譜面Ｂを除く他の譜面Ｂは全て支持ピン１２により物理的に支えられているので、決して落下することはない。また、支持ピン１２の先端面と磁石２０の磁着面との間の間隔は、支持部２の２枚分よりは小さいので、２枚の譜面Ｂが同時に落下していくことはない。よって、必ず譜面Ｂを１枚づつ交換することができる。【００１９】
また、上記のように最上層の１枚の譜面Ｂが落下すると、圧縮バネ１４によって譜面Ｂの積層物は磁石２０の裏面に向って押されてくる。したがって、再びフットペダル３７を踏んで押し具３１を引き下げると、また１枚の譜面Ｂを落下させることができる。
このように、演奏者はフットペダル３７を踏むだけで、譜面Ｂを１枚づつ交換することができる。【００２０】
つぎに、押上げ筒１３の退避機構を説明する。
図２において、４１，４２は基台１１の適所に固定的に取付けた案内滑車である（なお、被取付部材である基台側部材は煩雑を避けるため図示していない）。この案内滑車４１，４２にワイヤロープ４３が掛け廻され、そのワイヤロープ４３の一端は前記レバー２１の基端に連絡され、他端は前記押上げ筒１３の基端に連絡されている。【００２１】
図２に示すように、レバー２１が使用状態のとき押上げ筒１３は前方へ動かしているが、図３に示すようにレバー２１を引き上げるとワイヤロープ４３が引き込まれるので、押上げ筒１３は後退する。
そして、ロック金具１５で引き込み位置に固定される。【００２２】
この状態では支持ピン１２がむき出しになっているので、多数枚の譜面Ｂの支持金具７を重ねて支持ピン１２に挿入することができる。
このように挿入したあと、レバー２１を元に戻し、解除レバー１７でロックを解除すると、押上げ筒は圧縮バネ１４によって前方に押され、図２に示すように譜面Ｂは磁石２０の裏側に押し付けられ、かつ支持ピン１２で支持されるようになる。【００２３】
図５は譜面受けの他の例を示している。譜面Ｂには、その上端両横に横方向に突出した引掛部４ａ，４ａが形成されている。９ａ，９ａは引掛け金具で、基台１１の下端両横から吊下げるような形で取付けられている。
支持ピンから落下してきた譜面Ｂは、引掛部４ａ，４ａが引掛け金具９ａ，９ａに引っ掛って落下を止められ、垂直に垂れ下がった状態で保持される。
なお、９ｂはガイド用の針金で、譜面Ｂの落下を案内する。
以上の外、譜面受けは、どのような形態のものを用いてもよい。【００２４】
上記の譜面交換装置によると、つぎの利点がある。
１）譜面Ｂを落下させるだけで新しい譜面Ｂに交換できるので交換タイミングが早い。このため、演奏の中断が避けられる。
２）譜面Ｂが演奏者の顔の前を通ることなく下方に落下していくので、演奏者の注意を乱すことがない。
３）譜面Ｂを１枚づつ確実に替えることができる。
４）大掛かりな旋回アームやモータ等を用いていないので、装置がコンパクトになり、扱いが容易である。
【産業上の利用可能性】
【００２５】
本発明の譜面交換装置は、両手を使う楽器を演奏する場合に利用でき、演奏を中断することなく譜面を交換することができる。
【図面の簡単な説明】
【００２６】
【図１】本発明の譜面台と譜面を示す概念図である。
【図２】本発明の一実施形態に係る譜面台の機構図である。
【図３】同譜面台の動作説明図である。
【図４】同譜面台による譜面の交換動作を示す説明図である。
【図５】譜面受けの他の例を示す図で、（Ａ）は正面図、（Ｂ）は側面図である。
【符号の説明】
【００２７】
Ａ    譜面台
Ｂ    譜面
１    譜面シート
２    支持部
３    ピン孔
１１  基台
１２  支持ピン
２０  磁石
２１  レバー
３１  押し具
３２  レバー
【図１】
2009008059.tif 000003
【図２】
2009008059.tif 000004
【図３】
2009008059.tif 000005
【図４】
2009008059.tif 000006
【図５】
2009008059.tif 000007
【国際調査報告】
2009008059.tif 000008
2009008059.tif 000009
2009008059.tif 000010
2009008059.tif 000011